(57)【要約】【課題】引戸パネルの奥行き寸法を小さくし、隣接するフェンスとのデザイン上の統一性をとれるようにした連結式引戸を提供する。【解決手段】台車に引戸パネルＰ１，Ｐ２を立設した引戸を複数個用い、各引戸を一方の引戸パネルに設けたガイドレール４，５と他方の引戸パネルに取付けたガイドローラ６，７で係合して伸縮自在に連結した連結式引戸であって、引戸パネルＰ１，Ｐ２は、左右の縦框１，２と、左右の縦框１，２の間に並列して立設される複数本の縦格子３を備え、複数本の縦格子３を上部に配置される上ガイドレール４と下部に配置される下ガイドレール５で互いに固定している。上ガイドレール４は、縦格子３の上方部分における裏面側を切り欠いて形成した切り欠きに嵌められている。上下ガイドレール４，５におけるガイドローラ６，７に対向する側の外側面は、縦格子３の裏面と面一となっている。【選択図】図１
2009174152.tif 000002
【特許請求の範囲】
【請求項１】
台車に引戸パネルを立設した引戸を複数個用い、各引戸を一方の引戸パネルに設けたガイドレールと他方の引戸パネルに取付けたガイドローラで係合して伸縮自在に連結した連結式引戸であって、
前記引戸パネルは、左右の縦框と、該左右の縦框の間に並列して立設される複数本の縦格子を備え、前記複数本の縦格子を上部に配置される上ガイドレールと下部に配置される下ガイドレールで互いに固定している
少なくとも上ガイドレールは縦格子の上方部分における裏面側を切り欠いて形成した切り欠きに嵌合している
ことを特徴とする連結式引戸。
【請求項２】
前記上下ガイドレールにおける前記ガイドローラに対向する側の外側面は、前記縦格子の裏面と面一となっている
ことを特徴とする請求項１記載の連結式引戸。
【発明の詳細な説明】
【技術分野】
【０００１】
本発明は、連結式引戸に関する。さらに詳しくは、門扉、玄関戸、雨戸、間仕切り扉等の開口部を開け閉めする連結式引戸に関する。
【背景技術】
【０００２】
連結式引戸は、複数台の台車に載せた複数枚の引戸パネルを互いに連結したもので、収納時はコンパクトでありながら、長さの長い開口部を開け閉めすることができる引戸である。このような連結式引戸の従来例としては、特許文献１，２を例示できるが、基本構造は、図５に示すとおりである。
【０００３】
図５において、（Ａ）図は閉戸状態を示し、（Ｂ）図は開戸状態を示す。この連結引戸は３連型であり、３枚の引戸パネルＰ１〜Ｐ３を４台の台車Ｃ１〜Ｃ４に載せている。各台車Ｃ１〜Ｃ４は地面に設置された一対のレールＲ，Ｒ上を走行する。引戸パネルＰ１の吊元は台車Ｃ１に支持され、引戸パネルＰ２の吊元は台車Ｃ２に支持され、引戸パネルＰ３の両端、すなわち吊元と戸当りは２台の台車Ｃ３，Ｃ４に支持されている。
そして、引戸パネルＰ１，Ｐ２の戸当り側にはガイドローラｒｏを取付けており、それぞれ引戸パネルＰ２，Ｐ３に設けたガイドレール（図示省略）に嵌められている。すなわち、引戸パネルＰ１，Ｐ２の戸当り側はガイドローラｒｏと相手方引戸パネルＰ２，Ｐ３のガイドレールで支持されるようになっている。なお、４連以上の連結式引戸は、引戸パネルと台車の数が多くなるだけで、基本構造に変りはない。
【０００４】
ところで、連結式引戸は、開口部の両側にフェンスＦが設けられた場所に設置されることも多く、フェンスＦが縦格子で構成されたものであるときは、デザインの統一性を持たせるため、引戸パネルも縦桟を入れて構成することが多くなっている。
【０００５】
図６の引戸パネルＰはその一例であり、左右の縦框１，２と上下の胴縁３，４で形作られた四角形の枠体の中に多数本の縦格子５を並べている。この多数の縦格子５は、図５に示すフェンスＦの縦格子と同じか、よく似た形状、寸法であると、デザインの統一性を持たせることができ、建物の外観をすっきりした美しいものにすることができる。
【０００６】
ところで、図６に示す引戸パネルＰでは、隣接する引戸パネルのガイドローラｒｏを支持するガイドレールｒａは縦格子５の側面に外付け方式で取付けるものであった。この場合、縦格子５に対しガイドレールｒａが出っ張って見えるので見映えがよくない。また、左右の縦框１，２は奥付き寸法を大きくして、縦格子５とガイドレールｒａを合わした寸法ｗとしなければならない。この場合、隣接するフェンスＦの縦格子よりも太くなってしまうので、デザイン上の統一感が失われてしまう。
また、隣り合う引戸パネルＰ，Ｐ間に隙間ｄが生じるので、連結枚数の多い連結式引戸では奥行き寸法が嵩張ったものとなり、さらには、小動物の進入を許すなどの弊害も生ずる。
さらに、目隠し効果を期待する場合は、縦格子の奥行き寸法を大きくしたものが好まれているが、連結式引戸の奥行き寸法の嵩張りが顕著なものとなっていた。
【０００７】
【特許文献１】実用新案登録第２５２８６１５号
【特許文献２】実用新案登録第２５４４２９１号
【発明の開示】
【発明が解決しようとする課題】
【０００８】
本発明は上記事情に鑑み、引戸パネルの奥行き寸法を小さくし、隣接するフェンスとのデザイン上の統一性をとれるようにした連結式引戸を提供することを目的とする。
【課題を解決するための手段】
【０００９】
第１発明の連結式引戸は、台台車に引戸パネルを立設した引戸を複数個用い、各引戸を一方の引戸パネルに設けたガイドレールと他方の引戸パネルに取付けたガイドローラで係合して伸縮自在に連結した連結式引戸であって、前記引戸パネルは、左右の縦框と、該左右の縦框の間に並列して立設される複数本の縦格子を備え、前記複数本の縦格子を上部に配置される上ガイドレールと下部に配置される下ガイドレールで互いに固定している少なくとも上ガイドレールは縦格子の上方部分における裏面側を切り欠いて形成した切り欠きに嵌合していることを特徴とする。
第２発明の連結式引戸は、第１発明において、前記上下ガイドレールにおける前記ガイドローラに対向する側の外側面は、前記縦格子の裏面と面一となっていることを特徴とする。
【発明の効果】
【００１０】
第１発明によれば、上下のガイドレールを用いて引戸パネルの枠体を構成するので、上下の胴縁を別に用意する必要はなく、引戸パネルをコンパクトな構成にすることができる。また、上ガイドレールは縦格子の切欠きの中に入っているので、ガイドレールが引戸パネルから出張らない。このため、隣り合う引戸パネルとの間で奥行き方向の隙間が生じないので、引戸の閉鎖性能を高めることができ、小動物等の進入も防止できる。
第２発明によれば、上下のガイドレールとも縦格子に対し面一となって段差が生じないので、すっきりとした美しいデザインに仕上る。このため、縦格子付きのフェンスと共に設置した場合のデザインの統一性も向上する。
【発明を実施するための最良の形態】
【００１１】
つぎに、本発明の実施形態を図面に基づき説明する。
図４は本発明の一実施形態に係る連結式引戸の全体を示し、（Ａ）は平面図、（Ｂ）は正面図である。
まず、図４に基づき、本発明の連結式引戸の基本構成を説明しておく。この連結式引戸は２連型であって、２枚の引戸パネルＰ１，Ｐ２が３台の台車Ｃ１〜Ｃ３に立設されている。各台車Ｃ１〜Ｃ３は地面に設置された一対のレールＲ，Ｒ上を走行する。引戸パネルＰ１の吊元は台車Ｃ１に支持され、引戸パネルＰ２の両端、すなわち吊元と戸当りは２台の台車Ｃ２，Ｃ３に支持されている。なお、３連以上の連結式引戸は、台車の数と引戸パネルの数が多くなるが、基本構造は同様である。
【００１２】
また、同図においてＦはフェンスを示し、連結式引戸が設置される開口部の両側、または一方の側方に設置される。フェンスＦには種々のものがあるが、縦格子ｆを沢山、並列に立てたデザインのものを例示している。
【００１３】
図１は本発明の連結式引戸における引戸パネルを示し、（Ａ）は側面図、（Ｂ）は正面図である。また、図１は図４に示す引戸パネルＰ２を示している。
この引戸パネルＰ２は、左右の縦框１，２の間に沢山の縦格子３を立てて並べたものである。そして、左右の縦框１，２間の縦格子３は上ガイドレール４と下ガイドレール５で結合されている。つまり、上下のガイドレール４，５は従来の引戸パネルにおける上下の胴縁を兼ねている。なお、左右の縦框１，２に対する上ガイドレール４の固定および下ガイドレール５の固定は、適宜のビスをねじ込む等の公知の方法によって行われる。
【００１４】
また、上ガイドレール４は、各縦格子３の上方部分を切り欠いた切り欠き３ｈに嵌め込み、さらにビス止め等によって各縦格子３と連結される。
下ガイドレール５の上面には、各縦格子３の下端が当てられ、下ガイドレール５と各縦格子３がビス等によって連結されている。なお、各縦格子３の上端は防犯に有利な剣先形となっている。
【００１５】
図２は上下ガイドレールを示す図で、図４のII矢視図である。図３は上下ガイドレールを示す図で、（Ａ）図は図２のIIIＡ矢視図、（Ｂ）図は図２のIIIＢ矢視図である。
上記図２および図３に基づき、さらに詳しく説明する。
前記上ガイドレール４はアルミニウム製の押出形材であり、断面が長四角形の外枠４１と、その内部に形成された断面Ｖ字形のレール部４２とからなる。また、隣り合う引戸パネルＰ１に向き合う側の外側面には開口４３が形成され、後述するガイドローラの軸が通されている。
【００１６】
この上ガイドレール４は各縦格子３の上方部分に形成された長四角形の切欠き３ｈに嵌めこまれている。さらに、縦格子３の上部はビス４６で上ガイドレール４に固定されている。
そして、上ガイドレール４の外側面４４は、縦格子３の裏面３４と面一となっている。すなわち、外側面４４と裏面３４は同一平面上にあって、いずれも出張らず段差のない形状となっている。
【００１７】
前記下ガイドレール５はアルミニウム製の押出形材であり、断面が長四角形の外枠５１と、その内部に形成された断面Ｖ字形のレール部５２とを有している。
前記外枠５１の上面には長手方向に延びる取付枠５５を係合爪を介して結合している。そして、縦格子３の下部はビス５６で取付枠５５に固定されている。
そして、前記外枠５１の奥行き寸法は左右の縦框１，２と同一寸法である。
この外枠５１の外側面には開口５３が形成され、後述するガイドローラの軸が通されている。
【００１８】
前記引戸パネルＰ２と隣り合う引戸パネルＰ１の戸当り側の端部には、上下のガイドローラ６，７が取付けられている。上ガイドローラ６は、上ブラケット８で引戸パネルＰ１の縦框に固定され、下ガイドローラ７は下ブラケット９で引戸パネルＰ１の縦框に固定されている。
【００１９】
前記引戸パネルＰ１の上下のガイドローラ６，７は、引戸パネルＰ２のガイドレール４，５を走行するように嵌められている。このような係合支持構造によって、引戸パネルＰ１の戸当り側が下がらないように支持されている。また、ガイドローラ６，７が縦框に当ることによって、引戸パネルＰ１を引出すと引戸パネルＰ２を連れ動かすことができ、ガイドローラ６，７がガイドレール４，５上を転動することによって、引戸パネルＰ１を押し戻すと引戸パネルＰ２の戸当り側へ戻すことができる。
【００２０】
上記に２連式の連結式引戸を説明したが、３連以上の連結式引戸にも本発明を適用でき、各引戸パネルは上記実施形態と同様に構成できる。上ガイドレール４を縦格子３の切り欠き３ｈに嵌めたが、下ガイドレールも同様に縦格子に形成した切り欠きに嵌めても構わない。
【００２１】
上記に２連式の連結式引戸を説明したが、３連以上の連結式引戸にも本発明を適用でき、各引戸パネルは上記実施形態と同様に構成できる。
【００２２】
上記実施形態の連結式引戸によれば、つぎの利点を奏することができる。
ａ）上下のガイドレール４，５を用いて引戸パネルの枠体を構成するので、上下の胴縁を別に用いる必要はなく、引戸パネルをコンパクトな構成にすることができる。
ｂ）上ガイドレール４は縦格子３の切欠き３ｈの中に入っており、下ガイドレール５は縦框１，２と同じ奥行き寸法であるので、ガイドレール４，５が引戸パネルから出張らない。このため、隣り合う引戸パネルＰ１，Ｐ２との間で奥行き方向の隙間ｄが生じないので、引戸としての閉鎖性能を高めることができる。また、そのため小動物等の進入も防止できる。
ｃ）上下のガイドレール４，５とも縦格子３に対し面一となって段差が生じないので、すっきりとした美しいデザインに仕上る。このため、縦格子付きのフェンスＦと共に設置した場合のデザインの統一性も向上する。
【図面の簡単な説明】
【００２３】
【図１】本発明の一実施形態に係る連結式引戸における引戸パネルを示し、（Ａ）は側面図、（Ｂ）は正面図である。
【図２】上下ガイドレールを示す図で、図４のII矢視図である。
【図３】上下ガイドレールを示す図で、（Ａ）図は図２のIIIＡ矢視図、（Ｂ）図は図２のIIIＢ矢視図である。
【図４】本発明の一実施形態に係る連結式引戸を示し、（Ａ）は平面図、（Ｂ）は正面図である。
【図５】連結式引戸の説明図である。
【図６】従来の連結式引戸における引戸パネルを示し、（Ａ）図は側面図、（Ｂ）図は正面図である。
【符号の説明】
【００２４】
１          左縦框
２          右縦框
３          縦格子
４          上ガイドレール
５          下ガイドレール
６          上ガイドローラ
７          下ガイドローラ
Ｐ１，Ｐ２  引戸パネル
Ｃ１〜Ｃ４  台車
【図１】
2009174152.tif 000003
【図２】
2009174152.tif 000004
【図３】
2009174152.tif 000005
【図４】
2009174152.tif 000006
【図５】
2009174152.tif 000007
【図６】
2009174152.tif 000008